(57)【要約】【課題】断熱性を低下させずに、反りを抑制し得る回転仕切体、及びそれを備える冷蔵庫を提供すること。【解決手段】回転仕切体１００は、筐体１１０と、筐体１１０内に充填された断熱材１２０と、筐体１１０と断熱材１２０との間に設けられた離型シート１６０と、を有する。このように筐体１１０と断熱材１２０との間に離型シート１６０を設けたので、断熱材１２０の硬化収縮時に筐体１１０が断熱材１２０によって引っ張られず、この結果、厚い強化板１３０を用いなくても回転仕切体１００全体が反ってしまうことを抑制できる。よって、断熱性を低下させずに、反りを抑制し得る回転仕切体１００を実現できる。【選択図】図５
2018189334.tif 000002
【特許請求の範囲】
【請求項１】
筐体と、
前記筐体内に充填された断熱材と、
前記筐体と前記断熱材との間に設けられた離型シートと、
を備える回転仕切体。
【請求項２】
前記筐体内に設けられた強化板を、さらに備え、
前記離型シートは、前記強化板と前記断熱材との間に設けられている、
請求項１に記載の回転仕切体。
【請求項３】
前記離型シートは、前記筐体と前記断熱材との間に設けられている、
請求項１に記載の回転仕切体。
【請求項４】
前記離型シートは、前記断熱材に対して、前記筐体よりも離型性が高い、
請求項１又は請求項３に記載の回転仕切体。
【請求項５】
前記離型シートは、前記断熱材に対して、前記強化板よりも離型性が高い、
請求項２に記載の回転仕切体。
【請求項６】
前記離型シートは、前記筐体よりも断熱性が高い、
請求項１から請求項５のいずれか一項に記載の回転仕切体。
【請求項７】
前記離型シートは、前記強化板よりも断熱性が高い、
請求項２に記載の回転仕切体。
【請求項８】
前記離型シートは、断熱ビーズと繊維構造物とを複合して構成されている、
請求項１から請求項７のいずれか一項に記載の回転仕切体。
【請求項９】
前記離型シートは、エアロゲル不織布複合断熱材である、
請求項１から請求項７のいずれか一項に記載の回転仕切体。
【請求項１０】
前記断熱ビーズは、シリカである、
請求項８に記載の回転仕切体。
【請求項１１】
前記強化板は、セルロースナノファイバーを含浸させた樹脂である、
請求項２に記載の回転仕切体。
【請求項１２】
前記筐体は、少なくとも一部がセルロースナノファイバーを含浸させた樹脂である、
請求項１に記載の回転仕切体。
【請求項１３】
前記離型シートは、前記筐体の長手方向の両端部分に設けられている、
請求項１から請求項１２のいずれか一項に記載の回転仕切体。
【請求項１４】
前記離型シートは、前記筐体の長手方向の中央部分に設けられている、
請求項１から請求項１２のいずれか一項に記載の回転仕切体。
【請求項１５】
請求項１から請求項１４のいずれか一項に記載の回転仕切体を備える冷蔵庫。
【請求項１６】
請求項１から請求項１４のいずれか一項に記載の回転仕切体が、冷蔵庫の第１及び第２の回転扉の遊端部に取り付けられ、前記第１及び第２の回転扉が閉状態となったときに、前記第１及び第２の回転扉の遊端部に密着する、
冷蔵庫。
【発明の詳細な説明】
【技術分野】
【０００１】
本開示は、例えば冷蔵庫の貯蔵室の前面開口部を左右に開閉する貯蔵室扉に取り付けられ、当該貯蔵室が閉状態となったときに貯蔵室扉の遊端部に密着して、当該遊端部における密閉性を高める回転仕切体、及び、それを備える冷蔵庫に関する。
【背景技術】
【０００２】
貯蔵室の前面開口部を左右に開閉する貯蔵室扉（第１及び第２の回転扉）を備えた冷蔵庫が、例えば特許文献１等に記載されている。この種の冷蔵庫は、特許文献１にも記載されているように、一方の回転扉の回転支持側の反対側（つまり遊端側）の裏面に縦長の回動式の縦仕切体（以下これを「回転仕切体」と呼ぶ）が取り付けられている。回転仕切体は、この一方の回転扉が閉じられると、２つの回転扉の遊端部を架け渡すように回転する。そして、２つの回転扉を閉じた状態において、回転仕切体と第１及び第２の回転扉に設けられたガスケットとが密着することで、貯蔵室の冷気が外部に漏れるのを防止する。
【０００３】
回転仕切体は、合成樹脂からなる筐体内部に発泡ウレタン等の断熱材が充填されて構成される。断熱材の前側には、第１及び第２の回転扉に設けられたガスケットと磁気的に密着するように鉄板又はマグネットが配設される。つまり、第１及び第２の回転扉の遊端部の裏面にはガスケットが設けられ、このガスケット内にはマグネット又は鉄板が配設されていることにより、回転仕切体と第１及び第２の回転扉が磁気的に密着して、遊端部における密閉性を高めることができるようになっている。
【先行技術文献】
【特許文献】
【０００４】
【特許文献１】特開２０１５−１７５５８４号公報
【発明の概要】
【発明が解決しようとする課題】
【０００５】
ところで、上述したように回転仕切体の断熱材として発泡ウレタン等を用いた場合、断熱材の注入・硬化時に回転仕切体の筐体内部の壁面に断熱材が貼り付いて硬化し、その後に全ての断熱材が硬化することとなる。この結果、回転仕切体の筐体に断熱材の硬化収縮に伴う引っ張り応力が作用するので、縦に長い形状を持つ回転仕切体が反ってしまうという不都合が生じる。回転仕切体の反りを抑制する方法としては、回転仕切体内部に配設された金属製の強化板を厚くすることが考えられる。
【０００６】
しかしながら、断熱性の低い金属製の強化板を厚くすると、回転仕切体全体の断熱性が低下するといった新たな問題を招く。
【０００７】
本開示の目的は、断熱性を低下させずに、反りを抑制し得る回転仕切体、及びそれを備える冷蔵庫を提供することである。
【課題を解決するための手段】
【０００８】
本開示の回転仕切体は、
筐体と、
前記筐体内に充填された断熱材と、
前記筐体と前記断熱材との間に設けられた離型シートと、
を備える。
【０００９】
本開示の冷蔵庫は、前記回転仕切体を備える。
【発明の効果】
【００１０】
本開示によれば、筐体と断熱材との間に離型シートを設けたので、断熱材の硬化収縮時に筐体が断熱材によって引っ張られず、この結果、厚い強化板を用いなくても回転仕切体の反りを抑制できる。よって、断熱性を低下させずに、反りを抑制し得る回転仕切体を実現できる。
【図面の簡単な説明】
【００１１】
【図１】実施の形態に係る回転仕切体を有する冷蔵庫の外観構成を示す斜視図
【図２】第１及び第２の回転扉が開けられた状態の冷蔵庫を真上から見た図
【図３】第１及び第２の回転扉が閉じられた状態の冷蔵庫を真上から見た図
【図４】回転仕切体の外観構成を示す斜視図
【図５】図４のＡ−Ａ’断面図
【図６】回転仕切体の長手方向両端付近に離型シートを設けた様子を示す図
【図７】回転仕切体の長手方向中央付近に離型シートを設けた様子を示す図
【発明を実施するための形態】
【００１２】
以下、本開示の実施の形態について、図面を参照して詳細に説明する。
【００１３】
＜１＞実施の形態
＜１−１＞冷蔵庫の全体構成
図１は、本実施の形態の回転仕切体１００を有する冷蔵庫１０の外観構成を示す斜視図である。冷蔵庫１０は、冷蔵室の前面に設けられた第１及び第２の回転扉１１、１２を有する。第１及び第２の回転扉１１、１２は、それぞれ、仮想線で示す回転軸１１ａ、１２ａを中心に回転可能となっており、これにより、いわゆる観音開きすることが可能となっている。
【００１４】
第１及び第２の回転扉１１、１２の下方には、複数の引き出し型の扉が設けられている。具体的には、製氷室扉１３、上部冷凍室扉１４、下部冷凍室扉１５及び野菜室扉１６が設けられている。
【００１５】
図２は、第１及び第２の回転扉１１、１２が開けられた状態の冷蔵庫１０を真上から見た図である。図から分かるように、第１の回転扉１１の遊端部の裏面には、回転仕切体１００が取り付けられている。回転仕切体１００は、第１の回転扉１１の遊端部の上下方向全体をカバーする縦長の直方体形状である。回転仕切体１００は、第１の回転扉１１が閉じられると、冷蔵庫本体２０に設けられた突起（図示せず）に当接することにより、９０°回転する。この結果、回転仕切体１００は、第１及び第２の回転扉１１、１２の遊端部を架け渡し、それら両方に当接し得る位置に存在するようになる。
【００１６】
図３は、第１及び第２の回転扉１１、１２が閉じられた状態の冷蔵庫１０を真上から見た図である。図から分かるように、回転仕切体１００は、第１及び第２の回転扉１１、１２の両方の遊端部に当接する。実際には、第１及び第２の回転扉１１、１２が閉じられると、回転仕切体１００と、第１及び第２の回転扉１１、１２の遊端部に設けられたガスケットとが密着することで、遊端部における密閉性が高められ、冷蔵室の冷気が外部に漏れることが防止される。
【００１７】
なお、回転仕切体１００の回転動作やガスケットへの密着動作については、特許文献１等に記載されているので、ここでの詳しい説明は省略する。
【００１８】
＜１−２＞回転仕切体の構成
図４は回転仕切体１００の外観構成を示す斜視図であり、図５は図４のＡ−Ａ’断面図である。
【００１９】
回転仕切体１００は筐体１１０を有し、筐体１１０の内部には断熱材１２０が充填されている。筐体１１０は、前面部を構成し、第１及び第２の回転扉１１、１２に設けられたガスケットに当接する前板１１１と、当該前板１１１に接合された後板１１２と、を有する。筐体１１０は、例えば合成樹脂によって形成されている。
【００２０】
断熱材１２０は、発泡ウレタンである。断熱材１２０である発泡ウレタンは、筐体１１０における所定の注入口から筐体１１０内に注入される。なお、断熱材１２０は、発泡ウレタンに限らず、要は筐体１１０内で硬化する発泡系の断熱材であればよい。
【００２１】
また、筐体１１０内には強化板１３０が設けられている。本実施の形態の強化板１３０は、断面がコ字状であり、後板１１２に隣接して設けられている。強化板１３０は、回転仕切体１００の長手方向（つまり縦方向）全体に亘って延在しており、回転仕切体１００の変形を防止する。強化板１３０は、特に回転仕切体１００の長手方向に対して垂直な方向への反りなどを防止し得る構成となっている。強化板１３０は、例えば鉄などの金属である。
【００２２】
前板１１１の背面側にはヒータ１４０が設けられている。ヒータ１４０は回転仕切体１００の長手方向（つまり縦方向）全体に亘って延在する電熱線であり、前板１１１を温めることにより前板１１１に結露が発生することを防止する。
【００２３】
また、前板１１１の背面側にはマグネット１５０が設けられている。マグネット１５０は回転仕切体１００の長手方向（つまり縦方向）全体に延在しており、第１及び第２の回転扉１１、１２のガスケット内に設けられた鉄などの金属やマグネットと磁気的に引き合うことにより、回転仕切体１００と第１及び第２の回転扉１１、１２との密着性を高める。なお、第１及び第２の回転扉１１、１２のガスケット内にマグネットが設けられている場合には、マグネット１５０に代えて鉄などの金属を設けてもよい。
【００２４】
かかる構成に加えて、本実施の形態の回転仕切体１００は、離型シート１６０が設けられている。離型シート１６０は、断熱材１２０と筐体１１０との間に設けられている。また、離型シート１６０は、断熱材１２０と強化板１３０との間に設けられている。離型シート１６０は、回転仕切体１００の長手方向（つまり縦方向）全体に亘って延在する。
【００２５】
これにより、断熱材１２０が筐体１１０及び強化板１３０に貼り付く（つまり接着する）ことを防止でき、断熱材１２０の硬化時における筐体１１０及び又は強化板１３０の反りを抑制できる。この結果、本実施の形態のように強化板１３０を用いている場合には、強化板１３０を薄くすることができるので、断熱性の低下を抑制できる。
【００２６】
離型シート１６０は、筐体１１０及び強化板１３０に固着して設けてもよく、筐体１１０及び強化板１３０に固着させずに設けてもよい。ただし、筐体１１０及び強化板１３０に固着して設ければ、筐体１１０及び強化板１３０と、離型シート１６０との間に隙間が生じないので好ましい。離型シート１６０を筐体１１０及び強化板１３０に固着して設ける場合などには、離型シート１６０として、断熱材１２０に対して、筐体１１０や強化板１３０よりも離型性が高い材料を選定するとよい。このようにすることで、筐体１１０や強化板１３０と、断熱材１２０との間に大きな隙間が生じず、かつ、断熱材１２０の硬化時の引っ張り応力による筐体１１０や強化板１３０の反りを抑制できる。
【００２７】
また、離型シート１６０は、離型性に加えて、断熱性の高い部材であることが好ましい。実際上、離型シート１６０として、筐体１１０や強化板１３０よりも断熱性の高い材料を選択することが好ましい。
【００２８】
本実施の形態の場合、離型シート１６０は、例えばエアロゲル不織布複合断熱材のように、断熱ビーズと繊維構造物とを複合して構成されている。断熱ビーズとしては、シリカなどの撥水性の高い材料を用いることが好ましい。つまり、本実施の形態の離型シート１６０は、断熱ビーズやエアロゲルの性質によって断熱性と離型性を達成しつつ、不織布のような繊維構造物によって強度を確保している。このような材料を用いることで、離型シート１６０に離型性と断熱性の両方をもたせることができる。
【００２９】
＜１−３＞効果
以上説明したように、本実施の形態によれば、回転仕切体１００に離型シート１６０を設け、断熱材１２０が筐体１１０や強化板１３０に貼り付かないようにしたことにより、断熱材１２０の硬化収縮時に筐体１１０や強化板１３０が断熱材１２０によって引っ張られないので、回転仕切体１００の反りを抑制できる。
【００３０】
＜２＞他の実施の形態
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することの無い範囲で、様々な形で実施することができる。
【００３１】
上述の実施の形態では、離型シート１６０を、回転仕切体１００の長手方向（つまり縦方向）全体に亘って延在させた場合について述べたが、図６に示したように、離型シート１６０を、回転仕切体１００（筐体１１０と言ってもよい）の長手方向の両端部分にのみ設けてもよい。また、図７に示したように、離型シート１６０を、回転仕切体１００（筐体１１０と言ってもよい）の長手方向の中央部分にのみ設けてもよい。このようにすることで、回転仕切体１００の長手方向全体に亘って離型シート１６０を延在させる場合と比較して、高価である離型シート１６０の使用量を減らすことができるので、コストを抑えることができる。
【００３２】
実際上、筐体１１０内に発泡ウレタン等の断熱材１２０を注入する際には、回転仕切体１００の長手方向の中央付近から注入する場合と、回転仕切体１００の長手方向の両端から注入する場合と、がある。中央付近からウレタンを注入すると、ウレタンが上下に発泡していくので発泡密度が安定化する。ただし、ウレタンの発泡硬化時に特に両端部に圧力がかかり、変形が生じ易くなる。これを考慮して、回転仕切体１００の長手方向の中央付近から発泡ウレタン等の断熱材１２０を注入する場合には、図６のように長手方向両端付近に離型シート１６０を設けることが好ましい。これにより、ウレタン樹脂が両端部に滞留しにくくなるので、圧力を分散させることができ、筐体１１０や強化板１３０の変形を抑制できる。これに対して、回転仕切体１００の長手方向の両端から発泡ウレタン等の断熱材１２０を注入する場合には、ウレタンの発泡硬化時に特に中央部に圧力がかかり、変形が生じ易くなる。これを考慮して、回転仕切体１００の長手方向の両端から発泡ウレタン等の断熱材１２０を注入する場合には、図７のように長手方向中央付近に離型シート１６０を設けることが好ましい。
【００３３】
また、上述の実施の形態では、強化板１３０が鉄などの金属である場合について述べたが、強化板１３０はセルロースナノファイバーを含浸させた樹脂であってもよい。このようにすれば、強化板１３０の断熱性を高めることができる。同様に、筐体１１０を、セルロースナノファイバーを含浸させた樹脂によって形成すれば、筐体１１０の断熱性を高めることができる。なお、前板１１１及び後板１１２の両方をセルロースナノファイバーを含浸させた樹脂によって形成してもよく、いずれか一方のみをセルロースナノファイバーを含浸させた樹脂によって形成してもよい。また、筐体１１０及び又は強化板１３０をセルロースナノファイバーを含浸させた樹脂によって形成すれば、回転仕切体１００を軽量化することができ、その分、ユーザが回転扉１１を楽に回転操作できるようになる。
【００３４】
また、上述の実施の形態では、強化板１３０を用いた場合について述べたが、筐体１１０のみで所望の強度が得られる場合には強化板１３０を省略してもよい。
【００３５】
また、離型シート１６０は、離型フィルムであってもよい。本開示において離型シートとは、シート状及びフィルム状の両方を含むものとする。
【００３６】
さらに、上述の実施の形態の回転仕切体１００は、冷蔵庫に限らず、種々の保温ユニットに広く適用可能である。要は、保温ユニットの第１及び第２の回転扉の遊端部に取り付けられ、第１及び第２の回転扉が閉状態となったときに、第１及び第２の回転扉の遊端部に密着して、前記遊端部における密閉性を高める回転仕切体として広く有用である。なお、回転仕切体を冷蔵庫以外に用いる場合には、ヒータ１４０を省略できる。また、マグネット１５０は必ずしも必要ではない。
【００３７】
上述の実施の形態の回転仕切体は、硬化時に筐体に引っ張り応力を作用させてしまうような断熱材を用いる場合に広く有効である。
【００３８】
なお、上述の実施の形態は、様々に組み合わせて実施することができる。
【産業上の利用可能性】
【００３９】
本開示に係る回転仕切体は、冷蔵庫などの保温ユニットに取り付けられた回転仕切体として有用である。
【符号の説明】
【００４０】
１０  冷蔵庫
１１  第１の回転扉
１２  第２の回転扉
２０  冷蔵庫本体
１００  回転仕切体
１１０  筐体
１１１  前板
１１２  後板
１２０  断熱材
１３０  強化板
１４０  ヒータ
１５０  マグネット
１６０  離型シート
【図１】
2018189334.tif 000003
【図２】
2018189334.tif 000004
【図３】
2018189334.tif 000005
【図４】
2018189334.tif 000006
【図５】
2018189334.tif 000007
【図６】
2018189334.tif 000008
【図７】
2018189334.tif 000009